【手続補正書】
【提出日】令和2年1月10日(2020.1.10)
【手続補正１】
【補正対象書類名】明細書
【補正対象項目名】０１７２
【補正方法】変更
【補正の内容】
【０１７２】
例示的な実施形態は、本方法の可能な実施形態の変形を説明する。個々の実施形態の変形形態を互いに組み合わせることも可能である。
本発明に関連する発明の実施態様の一部を以下に示す。
［態様１］
少なくとも１層の（カルボキシル化）ジエンラテックスがフォーマー上に適用され、前記（カルボキシル化）ジエンラテックスが架橋剤により架橋される、（カルボキシル化）ジエンゴムから予防用品、特に手袋を製造する方法であって、前記架橋剤として多官能性モノマー及び／又はポリマーが使用され、前記架橋剤が、（カルボキシル化）ジエンラテックスに加えられ、前記（カルボキシル化）ジエンラテックス中に溶解されるか、あるいは、前記（カルボキシル化）ジエンラテックス中に乳化又は分散されること、及び／又は、メルカプト官能性シロキサンポリマーが架橋剤として使用されることを特徴とする、前記方法。
［態様２］
前記多官能性モノマー及び／又はポリマーのみが架橋剤として使用されることを特徴とする、態様１に記載の方法。
［態様３］
前記（カルボキシル化）ジエンラテックスの分子の前記架橋が、熱的に、及び／又は、紫外線により光化学的に達成されることを特徴とする、態様１又は２に記載の方法。
［態様４］
前記（カルボキシル化）ジエンラテックスのｐＨが９以上の値に調整されることを特徴とする、態様１〜３のいずれか一つに記載の方法。
［態様５］
前記架橋剤が、多官能性エポキシド、多官能性シラン、多官能性シロキサン、多官能性チオール、及びそれらの混合物からなる群から選択されることを特徴とする、態様１〜４のいずれか一つに記載の方法。
［態様６］
１７０ｇ／ｍｏｌ〜４０００ｇ／ｍｏｌのモル質量を有する有機モノマー及び／又はポリマーが使用されることを特徴とする、態様１〜５のいずれか一つに記載の方法。
［態様７］
前記メルカプト官能性シロキサンポリマーがエマルションとして前記（カルボキシル化）ジエンラテックスに加えられることを特徴とする、態様１〜６のいずれか一つに記載の方法。
［態様８］
メルカプト官能性シロキサンホモポリマー、又は、メルカプト官能性シロキサンホモポリマーとアクリルシロキサンとのコポリマーが、前記メルカプト官能性シロキサンポリマーとして使用されることを特徴とする、態様１〜７のいずれか一つに記載の方法。
［態様９］
構造式：
【化１】
2019518808.tif 000001
（式中、Ｒ１は、−ＣＨ３、−ＯＨ、−Ｃ２Ｈ５、−Ｃ３Ｈ７及び芳香族基からなる第１の群から選択された第１の単位を表し、Ｒ２は、−ＣＨ２、Ｃ２Ｈ４、Ｃ３Ｈ６、−（ＣＨ２）１１−、芳香族基及び−ＣＨ２−芳香族からなる第２の群から選択された第２の単位を表す。）
を有するメルカプト官能性シロキサンホモポリマーが使用されることを特徴とする、態様８に記載の方法。
［態様１０］
構造式：
【化２】
2019518808.tif 000002
（式中、Ｒ１は、−ＣＨ３、−ＯＨ、−Ｃ２Ｈ５、−Ｃ３Ｈ７及び芳香族基からなる第１の群から選択された第１の単位を表し、Ｒ２は、−ＣＨ２、Ｃ２Ｈ４、Ｃ３Ｈ６、−（ＣＨ２）１１−、芳香族基及び−ＣＨ２−芳香族からなる第２の群から選択された第２の単位を表し、Ｒ３は、アルキル基、−ＣＨ２−芳香族、芳香族基、アルケン基、メタクリロキシプロピル−、アクリロキシプロピル−、及びエポキシ基からなる第３の群から選択された第３の単位を表す。）
を有するメルカプト官能性シロキサンコポリマー、特に、統計的配置の繰返し単位を有するメルカプト官能性シロキサンコポリマーが使用されることを特徴とする、態様８に記載の方法。
［態様１１］
構造式：
【化３】
2019518808.tif 000003
（式中、Ｒ１は、−ＯＨ、−ＣＨ３、−Ｃ２Ｈ５、−Ｃ３Ｈ７及び芳香族基からなる第１の群から選択された第１の単位を表し、Ｒ２は、−ＣＨ２、Ｃ２Ｈ４、Ｃ３Ｈ６及び芳香族基からなる第２の群から選択された第２の単位を表し）
を有するアルコキシアクリルシランが使用されることを特徴とする、態様８〜１０のいずれか一つに記載の方法。
［態様１２］
前記メルカプト官能性シロキサンホモポリマーが、ポリ（メルカプトプロピルメチル）シロキサン、ポリ（メルカプトプロピルメチル）シロキサン、ポリ（メルカプトメチルメチル）シロキサン、ポリ（メルカプトエチルメチル）シロキサン、ポリ（メルカプトメチルエチル）シロキサン、ポリ（メルカプトプロピルメチル）シロキサン、ポリ（メルカプトメチルベンジル）シロキサン、ポリ（メルカプトプロピルベンジル）シロキサン、及びポリ（メルカプトエチルベンジル）シロキサンからなる群から選択されること、及び／又は、前記メルカプト官能性シロキサンホモポリマーとアクリルシロキサンとのコポリマーが、ポリ（メルカプトプロピルメチル−ｃｏ−アクリロキシプロピルメチル）シロキサン、ポリ（メルカプトメチルメチル−ｃｏ−アクリロキシメチルプロピル）シロキサン、ポリ（メルカプトメチルメチル−ｃｏ−アクリロキシプロピルメチル）シロキサン、ポリ（メルカプトメチルメチル−ｃｏ−アクリロキシプロピルエチル）シロキサン、ポリ（メルカプトメチルメチル−ｃｏ−アクリロキシエチルプロピル）シロキサン、ポリ（メルカプトメチルメチル−ｃｏ−アクリロキシメチルメチル）シロキサン、ポリ（メルカプトメチルメチル−ｃｏ−アクリロキシプロピル）シロキサン、ポリ（メルカプトメチルメチル−ｃｏ−アクリロキシエチル）シロキサン、ポリ（メルカプトメチルメチル−ｃｏ−アクリロキシメチル）シロキサン、及びポリ（メルカプトプロピルメチル−ｃｏ−アクリロキシメチルプロピル）シロキサンからなる群から選択されることを特徴とする、態様８〜１０のいずれか一つに記載の方法。
［態様１３］
前記メルカプト官能性シロキサンポリマーとアクリルシロキサンとのコポリマーにおけるメルカプト官能性シロキサンポリマーの割合が少なくとも２０質量％であることを特徴とする、態様８〜１１のいずれか一つに記載の方法。
［態様１４］
前記架橋剤が、前記（カルボキシル化）ジエンラテックスの全組成に対して１ｐｈｒ〜１０ｐｈｒの割合で前記（カルボキシル化）ジエンラテックスに加えられることを特徴とする、態様１〜１２のいずれか一つに記載の方法。
［態様１５］
（カルボキシル化）ジエンエラストマーの（カルボキシル化）ジエンエラストマー分子鎖が少なくとも１種のポリマーを介して共有結合的に架橋された（カルボキシル化）ジエンエラストマーの層を含む予防用品、特に手袋であって、前記少なくとも１種のポリマーがメルカプト官能性シロキサンポリマーである、予防用品、特に手袋。
［態様１６］
（カルボキシル化）ジエンエラストマーを含む予防用品のモジュラスの調整のための、２〜５０のモノマー単位数を有する多官能性ポリマーの使用。
［態様１７］
予防用品の製造のための架橋剤としての、１７０ｇ／ｍｏｌ〜４０００ｇ／ｍｏｌのモル質量と、塩基触媒下でヒドロキシ基を形成する少なくとも２つの官能基とを有する多官能性有機化合物の使用。
【手続補正２】
【補正対象書類名】特許請求の範囲
【補正対象項目名】全文
【補正方法】変更
【補正の内容】
【特許請求の範囲】
【請求項１】
少なくとも１層の（カルボキシル化）ジエンラテックスがフォーマー上に適用され、前記（カルボキシル化）ジエンラテックスが架橋剤により架橋される、（カルボキシル化）ジエンゴムから予防用品、特に手袋を製造する方法であって、前記架橋剤として多官能性モノマー及び／又はポリマーが使用され、前記架橋剤が、（カルボキシル化）ジエンラテックスに加えられ、前記（カルボキシル化）ジエンラテックス中に溶解されるか、あるいは、前記（カルボキシル化）ジエンラテックス中に乳化又は分散され、前記架橋剤が、多官能性エポキシド、多官能性シラン、多官能性シロキサン、多官能性ポリマーチオール、及びそれらの混合物からなる群から選択されること、及び／又はメルカプト官能性シロキサンポリマーが架橋剤として使用されることを特徴とする、前記方法。
【請求項２】
前記（カルボキシル化）ジエンラテックスの分子の前記架橋が、熱的に、及び／又は、紫外線により光化学的に達成されることを特徴とする、請求項１に記載の方法。
【請求項３】
前記（カルボキシル化）ジエンラテックスのｐＨが９以上の値に調整されることを特徴とする、請求項１又は２に記載の方法。
【請求項４】
前記メルカプト官能性シロキサンポリマーがエマルションとして前記（カルボキシル化）ジエンラテックスに加えられることを特徴とする、請求項１〜３のいずれか一項に記載の方法。
【請求項５】
メルカプト官能性シロキサンホモポリマー、又は、メルカプト官能性シロキサンホモポリマーとアクリルシロキサンとのコポリマーが、前記メルカプト官能性シロキサンポリマーとして使用されることを特徴とする、請求項１〜４のいずれか一項に記載の方法。
【請求項６】
構造式：
【化４】
2019518808.tif 000004
（式中、Ｒ１は、−ＣＨ３、−ＯＨ、−Ｃ２Ｈ５、−Ｃ３Ｈ７及び芳香族基からなる第１の群から選択された第１の単位を表し、Ｒ２は、−ＣＨ２、Ｃ２Ｈ４、Ｃ３Ｈ６、−（ＣＨ２）１１−、芳香族基及び−ＣＨ２−芳香族からなる第２の群から選択された第２の単位を表す。）
を有するメルカプト官能性シロキサンホモポリマーが使用されることを特徴とする、請求項５に記載の方法。
【請求項７】
構造式：
【化５】
2019518808.tif 000005
（式中、Ｒ１は、−ＣＨ３、−ＯＨ、−Ｃ２Ｈ５、−Ｃ３Ｈ７及び芳香族基からなる第１の群から選択された第１の単位を表し、Ｒ２は、−ＣＨ２、Ｃ２Ｈ４、Ｃ３Ｈ６、−（ＣＨ２）１１−、芳香族基及び−ＣＨ２−芳香族からなる第２の群から選択された第２の単位を表し、Ｒ３は、アルキル基、−ＣＨ２−芳香族、芳香族基、アルケン基、メタクリロキシプロピル−、アクリロキシプロピル−、及びエポキシ基からなる第３の群から選択された第３の単位を表す。）
を有するメルカプト官能性シロキサンコポリマー、特に、統計的配置の繰返し単位を有するメルカプト官能性シロキサンコポリマーが使用されることを特徴とする、請求項５に記載の方法。
【請求項８】
構造式：
【化６】
2019518808.tif 000006
（式中、Ｒ１は、−ＯＨ、−ＣＨ３、−Ｃ２Ｈ５、−Ｃ３Ｈ７及び芳香族基からなる第１の群から選択された第１の単位を表し、Ｒ２は、−ＣＨ２、Ｃ２Ｈ４、Ｃ３Ｈ６及び芳香族基からなる第２の群から選択された第２の単位を表し）
を有するアルコキシアクリルシランが使用されることを特徴とする、請求項５〜７のいずれか一項に記載の方法。
【請求項９】
前記メルカプト官能性シロキサンホモポリマーが、ポリ（メルカプトプロピル）シロキサン、ポリ（メルカプトメチルプロピル）シロキサン、ポリ（メルカプトメチルメチル）シロキサン、ポリ（メルカプトエチルメチル）シロキサン、ポリ（メルカプトメチルエチル）シロキサン、ポリ（メルカプトプロピルメチル）シロキサン、ポリ（メルカプトメチルベンジル）シロキサン、ポリ（メルカプトプロピルベンジル）シロキサン、及びポリ（メルカプトエチルベンジル）シロキサンからなる群から選択されること、及び／又は、前記メルカプト官能性シロキサンホモポリマーとアクリルシロキサンとのコポリマーが、ポリ（メルカプトプロピルメチル−ｃｏ−アクリロキシプロピルメチル）シロキサン、ポリ（メルカプトメチルメチル−ｃｏ−アクリロキシメチルプロピル）シロキサン、ポリ（メルカプトメチルメチル−ｃｏ−アクリロキシプロピルメチル）シロキサン、ポリ（メルカプトメチルメチル−ｃｏ−アクリロキシプロピルエチル）シロキサン、ポリ（メルカプトメチルメチル−ｃｏ−アクリロキシエチルプロピル）シロキサン、ポリ（メルカプトメチルメチル−ｃｏ−アクリロキシメチルメチル）シロキサン、ポリ（メルカプトメチルメチル−ｃｏ−アクリロキシプロピル）シロキサン、ポリ（メルカプトメチルメチル−ｃｏ−アクリロキシエチル）シロキサン、ポリ（メルカプトメチルメチル−ｃｏ−アクリロキシメチル）シロキサン、及びポリ（メルカプトプロピルメチル−ｃｏ−アクリロキシメチルプロピル）シロキサンからなる群から選択されることを特徴とする、請求項５〜７のいずれか一項に記載の方法。
【請求項１０】
前記メルカプト官能性シロキサンポリマーとアクリルシロキサンとのコポリマーにおけるメルカプト官能性シロキサンポリマーの割合が少なくとも２０質量％であることを特徴とする、請求項５〜９のいずれか一項に記載の方法。
【請求項１１】
前記架橋剤が、前記（カルボキシル化）ジエンラテックスの全組成に対して１ｐｈｒ〜１０ｐｈｒの割合で前記（カルボキシル化）ジエンラテックスに加えられることを特徴とする、請求項１〜１０のいずれか一項に記載の方法。
【請求項１２】
（カルボキシル化）ジエンエラストマーの（カルボキシル化）ジエンエラストマー分子鎖が少なくとも１種のポリマーを介して共有結合的に架橋された（カルボキシル化）ジエンエラストマーの層を含む予防用品、特に手袋であって、前記少なくとも１種のポリマーがメルカプト官能性シロキサンポリマーである、予防用品、特に手袋。